(57)【要約】【課題】光源で生じる熱が表示部に伝わりにくくする技術を提供する。【解決手段】表示装置１は、表示部４と、バックライト部２と、固定筐体３とを備えている。バックライト部２は、光源２２と、当該光源２２が側面部２１１（２１１Ａ）の内側の面に配置されたバックライト筐体２１とを有する。固定筐体３は、表示部４の表示面４ａを露出する開口部３２を有し、表示部４とバックライト部２とを互いに固定する。固定筐体３は、バックライト筐体２１の側面部２１１（２１１Ａ）における、光源２２が配置されている光源配置部分２３と接触していない。【選択図】図６
2015004709.tif 000002
【特許請求の範囲】
【請求項１】
表示部と、
光源と、当該光源が側面部の内側の面に配置されたバックライト筐体とを有するバックライト部と、
前記表示部の表示面を露出する開口部を有し、当該表示部と前記バックライト部とを互いに固定する固定筐体と
を備え、
前記固定筐体は、前記バックライト筐体の前記側面部における、前記光源が配置されている光源配置部分と接触していない、表示装置。
【請求項２】
請求項１に記載の表示装置であって、
前記固定筐体は、前記バックライト筐体の前記側面部の外側の面と接触する固定筐体側面部を有し、
前記固定筐体側面部には、前記光源配置部分と対向する部分に切り欠き部が設けられている、表示装置。
【請求項３】
請求項１に記載の表示装置であって、
前記固定筐体は、前記バックライト筐体の前記側面部の外側の面と対向する固定筐体側面部を有し、
前記固定筐体側面部と前記バックライト筐体の前記側面部とが互いに接触しないように、当該固定筐体側面部と当該側面部との間には隙間が設けられている、表示装置。
【請求項４】
請求項１に記載の表示装置であって、
前記固定筐体は、前記バックライト筐体の前記側面部の外側の面と接触する固定筐体側面部を有し、
前記固定筐体側面部の内側の面では、前記光源配置部分との対向部分が凹んでいる、表示装置。
【請求項５】
表示部と、
光源と、当該光源が内側の面に配置されたバックライト筐体とを有するバックライト部と、
前記表示部の表示面を露出する開口部を有し、前記表示部と前記バックライト部とを互いに固定する固定筐体と、
前記固定筐体と前記バックライト筐体との間に設けられた断熱材と
を備える、表示装置。
【請求項６】
請求項５に記載の表示装置であって、
前記固定筐体は、前記バックライト筐体における、前記光源が配置されている光源配置部分と対向する対向部分を有し、
前記断熱材は、前記バックライト筐体の前記光源配置部分と前記固定筐体の前記対向部分との間に設けられている、表示装置。
【請求項７】
請求項１乃至請求項６のいずれか一つに記載の表示装置であって、
前記固定筐体の前記開口部から露出する、前記表示部の前記表示面に取り付けられた部材を更に備える、表示装置。
【請求項８】
請求項７に記載の表示装置であって、
前記部材は、前記表示部を保護するための保護部材あるいはタッチパネルである、表示装置。
【発明の詳細な説明】
【技術分野】
【０００１】
本発明は表示装置に関する。
【背景技術】
【０００２】
特許文献１〜３に記載されているように、光源からの光が照射される表示部を備える表示装置に関して、従来から様々な技術が提案されている。
【先行技術文献】
【特許文献】
【０００３】
【特許文献１】特開平６−１３０３６８号公報
【特許文献２】特開平７−３１８９３２号公報
【特許文献３】特開２００３−１１４４３１号公報
【発明の概要】
【発明が解決しようとする課題】
【０００４】
上記のような表示装置において、光源で生じる熱が表示部に伝わると、当該表示部の表示特性が低下する可能性がある。
【０００５】
そこで、本発明は上述の点に鑑みて成されたものであり、光源で生じる熱が表示部に伝わりにくくする技術を提供することを目的とする。
【課題を解決するための手段】
【０００６】
上記課題を解決するため、本発明に係る表示装置の一態様は、表示部と、光源と、当該光源が側面部の内側の面に配置されたバックライト筐体とを有するバックライト部と、前記表示部の表示面を露出する開口部を有し、当該表示部と前記バックライト部とを互いに固定する固定筐体とを備え、前記固定筐体は、前記バックライト筐体の前記側面部における、前記光源が配置されている光源配置部分と接触していない。
【０００７】
また、本発明に係る表示装置の一態様は、表示部と、光源と、当該光源が内側の面に配置されたバックライト筐体とを有するバックライト部と、前記表示部の表示面を露出する開口部を有し、前記表示部と前記バックライト部とを互いに固定する固定筐体と、前記固定筐体と前記バックライト筐体との間に設けられた断熱材とを備える。
【発明の効果】
【０００８】
本発明によれば、光源で生じる熱が表示部に伝わりにくくすることができる。
【図面の簡単な説明】
【０００９】
【図１】第一実施形態に係る表示装置を示す図である。
【図２】第一実施形態に係る表示装置の分解斜視図を示す図である。
【図３】第一実施形態に係る表示装置の断面を示す図である。
【図４】第一実施形態に係る表示装置の断面を示す図である。
【図５】表示装置の断面を示す図である。
【図６】第一実施形態に係る表示装置の断面を示す図である。
【図７】第一実施形態の第１変形例に係る表示装置の断面を示す図である。
【図８】第一実施形態の第２変形例に係る表示装置の断面を示す図である。
【図９】第一実施形態の第２変形例に係る固定筐体側面部を示す図である。
【図１０】第一実施形態の第３変形例に係る表示装置の断面を示す図である。
【図１１】第一実施形態の第３変形例に係る固定筐体側面部を示す図である。
【図１２】第二実施形態に係る表示装置を示す図である。
【図１３】第二実施形態に係る表示装置の断面を示す図である。
【図１４】第二実施形態に係る表示装置の変形例を示す図である。
【図１５】第二実施形態に係る表示装置の変形例を示す図である。
【図１６】第二実施形態に係る表示装置の変形例を示す図である。
【発明を実施するための形態】
【００１０】
＜第一実施形態＞
＜表示装置について＞
図１は、第一実施形態に係る表示装置１を示す図である。図２は、表示装置１の分解斜視図を示す図である。図３は、図１，２に示される矢視Ａ−Ａにおける表示装置１の断面図である。図４は、図３に示される部分Ｂの拡大図である。なお図４では、図３に示される反射シート２５および光学シート２６の記載は省略している。
【００１１】
表示装置１は、例えば薄型及び軽量の表示装置である。表示装置１は、例えば、携帯電話機のディスプレイ、パーソナルコンピュータ（Personal Computer）のディスプレイ、産業用途で使用される各種装置のディスプレイ、車載機のディスプレイ、ハンディ端末装置のディスプレイ、あるいは広告表示装置のディスプレイなどに使用される。
【００１２】
図１及び２に示されるように、表示装置１は、バックライト部２と、固定筐体３と、表示部４と、回路基板５と、表示部４の表示面を覆うカバー部材６とを備えている。カバー部材６は、例えば、表示部４を保護するための保護部材もしくはタッチパネルである。
【００１３】
表示装置１では、表示部４の背面に配置されたバックライト部２が表示部４を照射する。そして、回路基板５が入力信号（入力画像）に応じて表示部４への電気信号を制御することによって表示部４の各画素における透過光量を調整する。これにより、表示部４の表示面に入力画像が表示される。表示装置１を構成する部品について、以下に説明する。
【００１４】
＜バックライト部＞
バックライト部２は、バックライト筐体２１と、光源２２と、導光体２４と、反射シート２５と、光学シート２６とを備えている。本実施形態に係るバックライト部２は、例えば、導光体２４の側方に光源２２が配置された、エッジ入光タイプ（サイドライト方式）のバックライト部である。
【００１５】
バックライト筐体２１は、バックライト背面筐体２１ａと、バックライト前面筐体２１ｂとを有している。バックライト筐体２１は、その内部において、バックライト部２を構成する、導光体２４等の他の部品と、表示部４とを保持する。またバックライト背面筐体２１ａの外側の面には回路基板５が取り付けられる。バックライト背面筐体２１ａと、バックライト前面筐体２１ｂとは、ツメによる引っ掛け構造あるいはネジ止めにより、互いに固定される。本例では、バックライト筐体２１は、バックライト背面筐体２１ａ及びバックライト前面筐体２１ｂの２つの部材で構成されているが、一つの部材で構成されても良い。
【００１６】
バックライト背面筐体２１ａは、上面が開口した箱型の形状を成しており、底面部２１０および４つの側面部２１１を有する。図３及び４に示されるように、バックライト背面筐体２１ａの一つの側面部２１１の内側の面２１１ａには、光源２２が配置されている。本実施形態における光源２２は、例えば、複数の発光素子２２ａで構成されている。各発光素子２２ａは、例えば、点光源であるＬＥＤ（Light Emitting Diode）である。複数の発光素子２２ａは、それらが配置される側面部２１１の長手方向に沿って一列に配置されている。以後、バックライト背面筐体２１ａの側面部２１１において光源２２が配置されている部分を光源配置部分２３と呼ぶ（図１，２，４参照）。また、バックライト背面筐体２１ａの４つの側面部２１１のうち、光源２２が配置されている側面部２１１を側面部２１１Ａと呼ぶことがある。
【００１７】
バックライト背面筐体２１ａは、熱伝導率が高い金属材料（例えば、アルミ、アルミ合金）で形成されることが望ましい。バックライト背面筐体２１ａは、熱伝導率が高い金属材料で形成されることで、光源配置部分２３から光源配置部分２３以外の部分（例えば、バックライト背面筐体２１ａの底面部２１０）へ光源２２で生じた熱を効率よく伝導させることができる。したがって、光源２２で生じた熱を適切に放熱させることができる。よって、光源２２で生じた熱が、バックライト部２にこもるのを抑制することができる。
【００１８】
バックライト前面筐体２１ｂは、図２に示されるように、枠状となっており、導光体２４から出力される光を表示部４側に取り出すための開口部２１２を有する。図３に示されるように、枠状のバックライト前面筐体２１ｂの上面には表示部４が位置決めされた状態で固定されている。バックライト前面筐体２１ｂの材料としては、アルミニウム、ステンレス、鉄などの金属材料や、ＰＣ（Polycarbonate：ポリカーボネート）、ＡＢＳ（Acrylonitrile Butadiene Styrene：アクリロニトリルブタジエンスチレン）等の樹脂材料を用いることができる。
【００１９】
導光体２４は、例えば板状である。光源２２は導光体２４の一つの側面と対向しており、当該一つの側面が、光源２２から出力された光が入射される入射面２４ｂ（図３参照）となっている。入射面２４ｂから入射された光は、導光体２４の内部を伝搬して導光体２４の上面である出射面２４ａから出力される。導光体２４は、例えば、透明なアクリル樹脂、ポリカーボネート樹脂、ガラスなどで構成される。導光体２４の出射面２４ａおよび反出射面２４ｃ（底面）の少なくとも一方には、出力光（出射光）についての面内強度分布及び出力（出射）方向を調整するために散乱用のドットパターンあるいはプリズム形状が設けられている。
【００２０】
反射シート２５は、導光体２４の反出射面２４ｃを覆うように設けられている。反射シート２５は、導光体２４の反出射面２４ｃから漏れた光を導光体２４へ向かわせるためのものである。
【００２１】
光学シート２６は、導光体２４の出射面２４ａを覆うように設けられている。光学シート２６は、出射面２４ａから出力された光の分布及び広がりを調整するためのものである。光学シート２６は、集光を目的としたレンズシート、光の輝度の均一化を目的とした拡散シート、視野角方向での光の輝度を調整する視野角調整シートなどが組み合わされて構成されている。
【００２２】
このような構成のバックライト部２は、光源２２から出力された光を反射及び拡散等することによって、面光源として機能する。そして、バックライト部２は、表示部４をその裏面側から照射する。
【００２３】
なお、バックライト部２から出力される光の光量を大きくするには、つまりバックライト部２を高輝度化するためには、例えば、光源２２を構成する複数の発光素子２２ａの数を増やしたり、各発光素子２２ａを駆動するための駆動電流を大きくしたりすればよい。バックライト部２から出力される光の光量を大きくすることで、例えば、屋外で表示装置１を使用する場合であっても、表示部４の表示が見やすくなる。
【００２４】
＜表示部＞
表示部４は、例えば、液晶が有する複屈折性を利用して表示を行う、透過型または半透過型の液晶パネルである。図２に示されるように、表示部４は、第１の基板４１と、第２の基板４２と、表示部４を駆動するための駆動用ＩＣ４３とを備えている。
【００２５】
第１の基板４１及び第２の基板４２のそれぞれは、ガラスなどから成る絶縁性基板を備えている。第１の基板４１の絶縁性基板上には、カラーフィルタ、遮光層、対向電極等が形成されている。第２の基板４２の絶縁性基板上には、スイッチング素子となる薄膜トランジスタ（Thin Film Transistor）、画素電極等が形成されている。駆動用ＩＣ４３は、第２の基板４２の上面の外周部に設けられている。なお、駆動用ＩＣ４３は、第２の基板４２の上面の外周部に接続されたテープ状の配線材料（例えば、ＴＣＰ（Tape Carrier Package）、ＣＯＦ（Chip On Film）など）の上に配置されても良い。
【００２６】
図面の煩雑さを避けるために図示していないが、表示部４には、第１の基板４１、第２の基板４２及び駆動用ＩＣ４３以外にも、様々な部材が設けられている。第１の基板４１と第２の基板４２とは、それらの間にスペーサを介して、シール材によって互いに貼り合わされている。第１の基板４１と第２の基板４２との間には、スペーサによって隙間が設けられている。そして、第１の基板４１と第２の基板４２との間の隙間には液晶が充填されている。
【００２７】
また、表示部４における液晶の注入口には封止材が設けられている。また表示部４には、液晶を配向する配向膜が設けられている。また表示部４では、第１の基板４１の外側の面と第２の基板４２の外側の面とに偏光板が設けられている。そして、表示部４の第１の基板４１には、画素ごとにＲＧＢ（Ｒｅｄ：赤、Ｇｒｅｅｎ：緑、Ｂｌｕｅ：青）のカラーフィルタが設けられている。これにより、表示部４の表示面４ａ（図３，４参照）にはカラー画像が表示される。なお、表示部４はモノクロ画像を表示面４ａに表示しても良い。
【００２８】
＜回路基板＞
回路基板５には、制御回路が搭載されており、この制御回路によって、光源２２及び表示部４が制御される。回路基板５では、例えば、ガラスエポキシ等から成る基板に銅パターンが形成されている。そして、当該基板上には、ハンダにより電子部品が実装されている。
【００２９】
本例における表示装置１では、図２及び３に示されるように、バックライト背面筐体２１ａの裏面に回路基板５を配置しているが、表示部４に接続されたＦＰＣ（Flexible printed circuits：フレキシブルプリント基板）上に電子部品を実装して回路基板５を構成してもよい。また、回路基板５を外部からの圧力や静電気から保護するために、アルミニウム、ステンレス、亜鉛めっき鋼板などの金属から成る金属製の保護カバー、あるいは、ＰＥＴ（Polyethylene terephthalate：ポリエチレンテレフタレート）等のフィルム状の薄い樹脂から成る保護カバーを取り付けてもよい。金属製の保護カバーを使用する場合には、回路基板５や回路基板５に実装された電子部品と、当該保護カバーとが電気的に接続されないように、当該保護カバーの回路基板５側の面に、ＰＥＴ等から成る樹脂性シートを貼り付けることが望ましい。
【００３０】
＜固定筐体＞
固定筐体３は、バックライト部２と表示部４とを互いに固定する枠状部材である。また、固定筐体３には、カバー部材６が取り付けられる。固定筐体３は、薄板の金属材料あるいは樹脂成形品により構成される。固定筐体３は、バックライト部２との間で表示部４を挟み込むようにバックライト部２に取り付けられる。固定筐体３は、ツメ状の固定構造あるいはネジ止め等により、バックライト部２に固定される。
【００３１】
図２に示されるように、固定筐体３は、上面部３００と４つの側面部３１０とを有する。固定筐体３の上面部３００には、開口部３２が設けられている。固定筐体３は、開口部３２から表示部４の表示面４ａが露出しつつ、４つの側面部３１０がバックライト背面筐体２１ａの４つの側面部２１１の外側の面２１１ｂとそれぞれ接触するように、バックライト部２に取り付けられる。このとき、表示部４の周縁部は、固定筐体３の上面部３００と、バックライト前面筐体２１ｂとで挟持される。カバー部材６は、開口部３２を覆うように固定筐体３の上面部３００に取り付けられる。以後、固定筐体３の側面部３１０を「固定筐体側面部３１０」と呼ぶことがある。
【００３２】
固定筐体３の４つの固定筐体側面部３１０のうち、バックライト背面筐体２１ａの側面部２１１Ａの外側の面２１１ｂを覆う固定筐体側面部３１０（以後、「固定筐体側面部３１０Ａ」と呼ぶことがある）には切り欠き部３１が設けられている。切り欠き部３１は、固定筐体側面部３１０Ａにおける、光源配置部分２３と対向する部分に設けられる。これにより、切り欠き部３１から光源配置部分２３が露出する（図１参照）。
【００３３】
このように、固定筐体側面部３１０Ａに切り欠き部３１を設けることにより、固定筐体３は、バックライト背面筐体２１ａの側面部２１１Ａにおける光源配置部分２３と接触しないようになる。したがって、光源２２で生じる熱が、光源配置部分２３から固定筐体３へと伝わりにくくなる。
【００３４】
なお、固定筐体３は、本例のように一つの部材で形成されてもよいし、複数の部材が組み合わされて構成されてもよい。また、固定筐体３には、表示装置１が組み込まれる最終製品と当該表示装置１とを取り付けるための取付部（ネジ、取付穴など）を設けてもよい。
【００３５】
＜カバー部材＞
上述のように、カバー部材６は、表示面４ａを保護するための保護部材あるいはタッチパネルである。保護部材は、例えば、ガラスもしくはプラスチックで構成される。保護部材は、表示部４の表示面４ａに対する加圧および接触による、表示面４ａの損傷、変形、摩耗、汚れなどを防止する。保護部材の表面あるいは裏面の周縁部には、遮光の目的あるいは意匠上の目的により、印刷を付加してもよい。
【００３６】
タッチパネルでは、透明な基板上に形成された透明電極を含む回路によって、操作子（例えば、使用者の指など）によるタッチパネルの操作を電気信号に変換する。この電気信号は、タッチパネルの端部に接続された出力配線部を介して、表示装置１が組み込まれる最終製品の制御回路に入力される。出力配線部は、例えば、接続の自由度を確保するために、薄さと柔軟性を有するＦＰＣで実現される。しかし、ＦＰＣと同等の機能および特性を有するものであれば、ＦＰＣとは異なる部材で出力配線部を構成しても良い。また、タッチパネルの前面に透明の保護ガラスが設けられても良い。
【００３７】
上記の例では、カバー部材６は、固定筐体３に取り付けられているが、固定筐体３の開口部３２から露出する、表示部４の表示面４ａに取り付けられても良い。このとき、カバー部材６は、例えば、樹脂等で形成された接着剤によって表示面４ａに取り付けても良いし、両面テープ等によって表示面４ａに取り付けても良い。カバー部材６を樹脂等で形成された接着剤によって表示面４ａに貼り付ける技術は「グラスボンディング」と呼ばれる。このグラスボンディングを使用することによって、表示面４ａでの外光反射率を小さくすることができる。したがって、屋外における表示面４ａの視認性を向上させることができる。
【００３８】
＜比較対象表示装置について＞
さて、ここで本実施形態の表示装置１と比較される表示装置（以後、「比較対象表示装置」と呼ぶ）について説明する。図５は、図４に示される表示装置１の断面図に対応する、比較対象表示装置の断面図である。
【００３９】
図５に示されるように、比較対象表示装置において、バックライト背面筐体２１ａの側面部２１１Ａと接触する、固定筐体３の固定筐体側面部３１０Ａには、切り欠き部３１が設けられていない。したがって、固定筐体３と、バックライト背面筐体２１ａの側面部２１１Ａの光源配置部分２３とは接触している。これにより、光源２２で生じた熱は、図５の矢印１００に示されるように、光源配置部分２３から直接的に固定筐体３に伝わって、その後、表示部４に伝わることになる。その結果、表示部４の温度が上昇する。特に、表示部４における、固定筐体３と接触している周縁部の温度が上昇する。その結果、表示部４に液晶相転移が発生しやすくなり、表示部４の表示特性が低下（例えば、輝度や色合いの表示ムラが発生）する可能性がある。また、光源２２で生じた熱は、固定筐体３に伝わるとともに、矢印１１０に示されるように、バックライト背面筐体２１ａの底面部２１０に伝わる。そして、底面部２１０に伝わった熱は、矢印１１１に示されるように、外部に放熱される。
【００４０】
このように、固定筐体３と光源配置部分２３とが接触している場合には、光源２２で生じた熱が表示部４に伝わりやすくなり、表示部４の表示特性が低下する可能性がある。特に、高輝度な光源２２を使用する場合には、光源２２で生じる熱の量が多いため、表示部４の温度が上昇しやすくなり、表示部４の表示特性がさらに低下する可能性がある。また、接着剤や両面テープ等によってカバー部材６が表示面４ａに取り付けられる場合には、表示部４に伝わった熱が外部に放出されにくく、当該熱が表示部４にこもりやすくなる。その結果、表示部４の表示特性がさらに低下する可能性がある。
【００４１】
これに対して、第一実施形態の表示装置１では、図６に示されるように、固定筐体３の固定筐体側面部３１０Ａには、光源配置部分２３と対向する部分に切り欠き部３１が設けられているため、固定筐体３は、光源配置部分２３と接触しない。よって、光源配置部分２３から固定筐体３へと直接的に熱が伝わることを抑制することができる。つまり、切り欠き部３１を設けることによって、光源２２で生じた熱が、固定筐体３に伝わりにくくなる。その結果、固定筐体３と接触している表示部４にも熱が伝わりにくくなり、液晶相転移の発生による表示部４の表示特性の劣化を抑制することができる。この場合には、光源２２で生じた熱は、バックライト背面筐体２１ａの光源配置部分２３からバックライト背面筐体２１ａの底面部２１０に伝わりやすくなり（矢印１１０）、当該底面部２１０から放出されやすくなる（矢印１１１）。また、切り欠き部３１は、固定筐体３を切り欠いたものであるため、表示装置１の軽量化も可能である。また、切り欠き部３１は、固定筐体３の側面部３１０に設けられていることから、固定筐体３の上面部３００にカバー部材６が取り付けられる場合であっても切り欠き部３１が邪魔になることは無い。つまり、切り欠き部３１が設けられたために、カバー部材６が固定筐体３に取り付けにくくなるといったことが発生することを抑制できる。
【００４２】
また、図４等に示される構造とは異なり、カバー部材６が表示部４の表示面４ａに取り付けられて表示部４に熱がこもりやすくなったとしても、切り欠き部３１によって、表示部４に伝わる熱の量を低減することができることから、表示部４の温度が上昇することを抑制することができる。よって、保護部材やタッチパネルなどのカバー部材６を表示面４ａに取り付けたとしても、表示部４の表示特性の劣化を抑制することができる。また、光源２２で生じた熱が固定筐体３に伝わりにくいことより、カバー部材６にも熱が伝わりにくくなる。よって、カバー部材６の熱変形等も抑制することができる。
【００４３】
＜第一実施形態の変形例＞
以下では、第一実施形態に係る表示装置１の変形例を３つ説明する。上記の例では、固定筐体側面部３１０Ａに切り欠き部３１を設けることによって、固定筐体３と光源配置部分２３とが接触しないようにしていたが、以下の変形例では、他の手法を用いて固定筐体３と光源配置部分２３とが接触しないようにしている。固定筐体３が光源配置部分２３と接触しないことにより、第一実施形態と同様に、光源２２で生じた熱は、固定筐体３に伝わりにくい。
【００４４】
まず、図７に示される第１変形例について説明する。図７は、第１変形例に係る表示装置１の部分断面図である。図７に示されるように、第１変形例に係る表示装置１では、固定筐体３の固定筐体側面部３１０Ａは、バックライト背面筐体２１ａの側面部２１１Ａの外側の面２１１ｂと対向している。そして、固定筐体側面部３１０Ａとバックライト背面筐体２１ａの側面部２１１Ａとが互いに接触しないように、当該固定筐体側面部３１０Ａと当該側面部２１１Ａとの間には隙間３４が設けられている。
【００４５】
一方で、固定筐体３の４つの固定筐体側面部３１０のうちの固定筐体側面部３１０Ａ以外の３つの固定筐体側面部３１０は、第一実施形態と同様に、バックライト背面筐体２１ａの４つの側面部２１１のうちの側面部２１１Ａ以外の３つの側面部２１１の外側の面２１１ｂとそれぞれ接触している。
【００４６】
このように、固定筐体側面部３１０Ａとバックライト背面筐体２１ａの側面部２１１Ａとが互いに接触しないように、当該固定筐体側面部３１０Ａと当該側面部２１１Ａとの間に隙間３４を設けることによって、光源２２で生じた熱は、第一実施形態に比べてさらに固定筐体３に伝わりにくくなる。その結果、表示部４にも熱が伝わりにくくなり、液晶相転移の発生による表示部４の表示特性の劣化をさらに抑制することができる。
【００４７】
次に、図８に示される第２変形例について説明する。図８は、第２変形例に係る表示装置１の部分断面図である。図８に示されるように、第２変形例に係る表示装置１では、固定筐体３の固定筐体側面部３１０Ａの内側の面３１０ａが、バックライト背面筐体２１ａの側面部２１１Ａの外側の面２１１ｂと部分的に接触している。そして、固定筐体側面部３１０Ａの内側の面３１０ａでは、側面部２１１Ａの光源配置部分２３との対向部分が凹んでいる。つまり、固定筐体側面部３１０Ａの内側の面３１０ａでは、側面部２１１Ａの光源配置部分２３との対向部分に凹部３５が設けられている。
【００４８】
図９は、第２変形例に係る表示装置１の固定筐体側面部３１０Ａをその内側の面３１０ａから見た際の当該固定筐体側面部３１０Ａを示す平面図である。図９に示されるように、凹部３５は、固定筐体側面部３１０Ａの内側の面３１０ａの下端まで設けられている。固定筐体側面部３１０Ａは、その内側の面３１０ａにおける、下端部を除く周縁部３１０ａａで、バックライト背面筐体２１ａの側面部２１１Ａと接触している。
【００４９】
一方で、固定筐体３の４つの固定筐体側面部３１０のうちの固定筐体側面部３１０Ａ以外の３つの固定筐体側面部３１０は、第一実施形態と同様に、全体的に、バックライト背面筐体２１ａの４つの側面部２１１のうちの側面部２１１Ａ以外の３つの側面部２１１の外側の面２１１ｂとそれぞれ接触している。
【００５０】
このように、固定筐体側面部３１０Ａの内側の面３１０ａでは、側面部２１１Ａの光源配置部分２３との対向部分が凹んでいるため、固定筐体側面部３１０Ａと光源配置部分２３とが互いに接触しない。したがって、光源２２で生じた熱は、固定筐体３に伝わりにくくなる。その結果、表示部４にも熱が伝わりにくくなり、液晶相転移の発生による表示部４の表示特性の劣化を抑制することができる。
【００５１】
最後に、図１０に示される第３変形例について説明する。図１０は、第３変形例に係る表示装置１の部分断面図である。図１０に示されるように、第３変形例に係る表示装置１では、第２変形例に係る表示装置１と同様に、固定筐体側面部３１０Ａの内側の面３１０ａでは、側面部２１１Ａの光源配置部分２３との対向部分が凹んでいる。つまり、固定筐体側面部３１０Ａの内側の面３１０ａでは、側面部２１１Ａの光源配置部分２３との対向部分に凹部３６が設けられている。第３変形例に係る表示装置１は、第２変形例に係る表示装置１において、凹部３５の代わりに凹部３６を設けたものである。
【００５２】
図１１は、第３変形例に係る表示装置１の固定筐体側面部３１０Ａをその内側の面３１０ａから見た際の当該固定筐体側面部３１０Ａを示す平面図である。図１１に示されるように、凹部３５は、固定筐体側面部３１０Ａの内側の面３１０ａの中央部に設けられており、当該内側の面３１０ａの周縁まで達していない。固定筐体側面部３１０Ａは、その内側の面３１０ａの周縁部３１０ａａの全領域で、バックライト背面筐体２１ａの側面部２１１Ａと接触している。
【００５３】
このように、第３変形例においても、固定筐体側面部３１０Ａの内側の面３１０ａでは、側面部２１１Ａの光源配置部分２３との対向部分が凹んでいるため、固定筐体側面部３１０Ａと光源配置部分２３とが互いに接触しない。したがって、光源２２で生じた熱は、固定筐体３に伝わりにくくなる。その結果、表示部４にも熱が伝わりにくくなり、液晶相転移の発生による表示部４の表示特性の劣化を抑制することができる。
【００５４】
＜第二実施形態＞
第二実施形態では、固定筐体３とバックライト筐体２１との間に断熱材２７を設けることによって、固定筐体３に光源２２で生じる熱が伝わりにくくしている。第二実施形態に係る表示装置１について、図１２及び１３に基づいて説明する。図１２は、第二実施形態に係る表示装置１を示す斜視図である。図１３は、図１２に示される矢視Ｂ−Ｂにおける表示装置１の断面構造の部分拡大図である。
【００５５】
図１２及び１３に示されるように、断熱材２７は、固定筐体３の４つの側面部３１０と、バックライト背面筐体２１ａの４つの側面部２１１との間に設けられている。つまり、断熱材２７は、固定筐体３における、バックライト背面筐体２１ａと対向する対向部分と、当該バックライト背面筐体２１ａとの間に設けられている。断熱材２７は、固定筐体３の４つの側面部３１０のすべてを取り囲むように設けられている。これにより、固定筐体３とバックライト筐体２１とは接触しなくなる。断熱材２７は、熱の伝導を抑制するものであれば良い。断熱材２７は、例えば、多孔質構造を有する材料、繊維状構造を有する材料、粉粒状の材料、あるいは複合体である多層箔材料から形成することができる。
【００５６】
このように、固定筐体３とバックライト背面筐体２１ａとの間に断熱材２７を設けることによって、光源２２で生じた熱が、バックライト背面筐体２１ａから固定筐体３へ伝わりにくくなる。したがって、表示部４にも熱が伝わりにくくなり、液晶相転移の発生による表示部４の表示特性の劣化を抑制することができる。
【００５７】
また、本実施形態のように、断熱材２７によって固定筐体３とバックライト背面筐体２１ａとが全く接触しないようにする場合には、光源２２で生じた熱が、バックライト背面筐体２１ａから固定筐体３へさらに伝わりにくくなる。よって、この場合には、表示部４の表示特性の劣化をさらに抑制することができる。
【００５８】
なお、断熱材２７は、固定筐体３とバックライト背面筐体２１ａとの間の全範囲に設けなくてもよい。図１４は、第二実施形態に係る表示装置の変形例を示す斜視図である。図１４に示される表示装置１では、固定筐体３における４つの固定筐体側面部３１０の内側の面の上に、互いに分離した４つの断熱材２７がそれぞれ設けられている。このように、固定筐体３とバックライト背面筐体２１ａとの間の全範囲に断熱材２７が設けられない場合であっても、本実施形態と同様に、固定筐体３とバックライト背面筐体２１ａとを非接触とすることができる。
【００５９】
また、固定筐体３とバックライト背面筐体２１ａとは、非接触とならなくてもよい。例えば、図１５に示されるように、固定筐体３の４つの固定筐体側面部３１０のうち、バックライト背面筐体２１ａにおける、光源配置部分２３を有する側面部２１１Ａと対向する固定筐体側面部３１０Ａだけに断熱材２７を設けて、他の３つの固定筐体側面部３１０はバックライト背面筐体２１ａに接触させても良い。固定筐体３における、光源配置部分２３と対向する対向部分と、当該光源配置部分２３との間に断熱材２７を設ける場合には、光源２２で生じた熱によって高温となる光源配置部分２３から、固定筐体３における当該光源配置部分２３との対向部分に熱が伝わりにくくなることから、光源２２で生じた熱が、固定筐体３にさらに伝わりにくくなる。よって、液晶相転移の発生による表示部４の表示特性の劣化をさらに抑制することができる。
【００６０】
また、バックライト部２は、エッジ入光タイプ（サイドライト方式）のバックライト部ではなく、直下型のバックライト部であっても良い。直下型のバックライト部２が使用される場合には、導光体２４及び反射シート２５は不要となる。図１６は、第二実施形態に係る表示装置１において直下型のバックライト部２を採用した場合における、当該表示装置１の部分断面図である。図１６に示されるように、直下型のバックライト部２では、バックライト背面筐体２１ａの底面部２１０の内側の面２１０ａ上に光源２２が配置される。
【００６１】
なお、本発明は、その発明の範囲内において、各実施の形態を自由に組み合わせたり、各実施の形態を適宜、変形、省略することが可能である。
【符号の説明】
【００６２】
１  表示装置、２  バックライト部、３  固定筐体、４  表示部、４ａ  表示面、６  カバー部材、２１  バックライト筐体、２２  光源、２３  光源配置部分、２７  断熱材、３１  切り欠き部、３２  開口部、３４  隙間、３５，３６  凹部、２１１，２１１Ａ  側面部、３１０，３１０Ａ  固定筐体側面部。
【図１】
2015004709.tif 000003
【図２】
2015004709.tif 000004
【図３】
2015004709.tif 000005
【図４】
2015004709.tif 000006
【図５】
2015004709.tif 000007
【図６】
2015004709.tif 000008
【図７】
2015004709.tif 000009
【図８】
2015004709.tif 000010
【図９】
2015004709.tif 000011
【図１０】
2015004709.tif 000012
【図１１】
2015004709.tif 000013
【図１２】
2015004709.tif 000014
【図１３】
2015004709.tif 000015
【図１４】
2015004709.tif 000016
【図１５】
2015004709.tif 000017
【図１６】
2015004709.tif 000018